【手続補正書】
【提出日】平成16年4月21日(2004.4.21)
【手続補正１】
【補正対象書類名】明細書
【補正対象項目名】特許請求の範囲
【補正方法】変更
【補正の内容】
【特許請求の範囲】
【請求項１】
入力信号をスペクトル信号に変換する変換手段と、
前記変換手段により変換されたスペクトルのうち最小可聴特性より小さいレベルを有する周波数のスペクトルを削除する削除手段と、
予め決められた第１の周波数のスペクトルのレベルと第２の周波数のスペクトルのレベルとが、共に最小可聴特性より大きいか否かを判定する第１の判定手段と、
前記第１の判定手段により、前記第１の周波数のスペクトルのレベルと前記第２の周波数のスペクトルのレベルとが共に最小可聴特性より大きいと判定された場合、前記第１の周波数のスペクトルと第２の周波数のスペクトルとを相互に入れ替えたとき、入れ替えられたそれぞれのスペクトルのレベルのうち、どちらか一方が最小可聴特性より小さいか否かを判定する第２の判定手段と、
前記第２の判定手段により、前記第１の周波数のスペクトルと前記第２の周波数のスペクトルとを相互に入れ替えたとき、入れ替えられたそれぞれのスペクトルのレベルのうち、どちらか一方が最小可聴特性より小さいと判定された場合、付加する情報に基づいて、それぞれのスペクトルを入れ替えるか、または入れ替えないように制御して、情報を付加する付加手段と、
前記付加手段により情報が付加されたスペクトルを符号化する符号化手段と
を備えることを特徴とする情報符号化装置。
【請求項２】
前記符号化手段は、
所定単位毎に前記入力信号の最小値及び最大値を算出する算出手段と、
前記所定単位毎の前記最大値と前記最小値とから前記所定単位毎のダイナミックレンジを算出するダイナミックレンジ算出手段と、
前記入力信号と前記最小値との差分を求め、差分結果を出力する差分演算手段と、
算出された前記ダイナミックレンジに基づいて、前記差分結果を量子化し、出力する量子化手段と
を備えることを特徴とする請求項１に記載の情報符号化装置。
【請求項３】
情報符号化装置の情報符号化方法において、
入力信号をスペクトル信号に変換する変換ステップと、
前記変換ステップの処理により変換されたスペクトルのうち最小可聴特性より小さいレベルを有する周波数のスペクトルを削除する削除ステップと、
予め決められた第１の周波数のスペクトルのレベルと第２の周波数のスペクトルのレベルとが、共に最小可聴特性より大きいか否かを判定する第１の判定ステップと、
前記第１の判定ステップの処理により、前記第１の周波数のスペクトルのレベルと前記第２の周波数のスペクトルのレベルとが共に最小可聴特性より大きいと判定された場合、前記第１の周波数のスペクトルと第２の周波数のスペクトルとを相互に入れ替えたとき、入れ替えられたそれぞれのスペクトルのレベルのうち、どちらか一方が最小可聴特性より小さいか否かを判定する第２の判定ステップと、
前記第２の判定ステップの処理により、前記第１の周波数のスペクトルと前記第２の周波数のスペクトルとを相互に入れ替えたとき、入れ替えられたそれぞれのスペクトルのレベルのうち、どちらか一方が最小可聴特性より小さいと判定された場合、付加する情報に基づいて、それぞれのスペクトルを入れ替えるか、または入れ替えないように制御して、情報を付加する付加ステップと、
前記付加ステップの処理により情報が付加されたスペクトルを符号化する符号化ステップと
を含むことを特徴とする情報符号化方法。
【請求項４】
情報符号化装置のプログラムにおいて、
入力信号をスペクトル信号に変換する変換ステップと、
前記変換ステップの処理により変換されたスペクトルのうち最小可聴特性より小さいレベルを有する周波数のスペクトルを削除する削除ステップと、
予め決められた第１の周波数のスペクトルのレベルと第２の周波数のスペクトルのレベルとが、共に最小可聴特性より大きいか否かを判定する第１の判定ステップと、
前記第１の判定ステップの処理により、前記第１の周波数のスペクトルのレベルと前記第２の周波数のスペクトルのレベルとが共に最小可聴特性より大きいと判定された場合、前記第１の周波数のスペクトルと第２の周波数のスペクトルとを相互に入れ替えたとき、入れ替えられたそれぞれのスペクトルのレベルのうち、どちらか一方が最小可聴特性より小さいか否かを判定する第２の判定ステップと、
前記第２の判定ステップの処理により、前記第１の周波数のスペクトルと前記第２の周波数のスペクトルとを相互に入れ替えたとき、入れ替えられたそれぞれのスペクトルのレベルのうち、どちらか一方が最小可聴特性より小さいと判定された場合、付加する情報に基づいて、それぞれのスペクトルを入れ替えるか、または入れ替えないように制御して、情報を付加する付加ステップと、
前記付加ステップの処理により情報が付加されたスペクトルを符号化する符号化ステップと
を含むことを特徴とするコンピュータが読み取り可能なプログラムが記録されている記録媒体。
【請求項５】
情報符号化装置を制御するコンピュータに、
入力信号をスペクトル信号に変換する変換ステップと、
前記変換ステップの処理により変換されたスペクトルのうち最小可聴特性より小さいレベルを有する周波数のスペクトルを削除する削除ステップと、
予め決められた第１の周波数のスペクトルのレベルと第２の周波数のスペクトルのレベルとが、共に最小可聴特性より大きいか否かを判定する第１の判定ステップと、
前記第１の判定ステップの処理により、前記第１の周波数のスペクトルのレベルと前記第２の周波数のスペクトルのレベルとが共に最小可聴特性より大きいと判定された場合、前記第１の周波数のスペクトルと第２の周波数のスペクトルとを相互に入れ替えたとき、入れ替えられたそれぞれのスペクトルのレベルのうち、どちらか一方が最小可聴特性より小さいか否かを判定する第２の判定ステップと、
前記第２の判定ステップの処理により、前記第１の周波数のスペクトルと前記第２の周波数のスペクトルとを相互に入れ替えたとき、入れ替えられたそれぞれのスペクトルのレベルのうち、どちらか一方が最小可聴特性より小さいと判定された場合、付加する情報に基づいて、それぞれのスペクトルを入れ替えるか、または入れ替えないように制御して、情報を付加する付加ステップと、
前記付加ステップの処理により情報が付加されたスペクトルを符号化する符号化ステップと
を含む処理を実行させることを特徴とするプログラム。
【請求項６】
入力された信号を復号する復号手段と、
前記復号手段により復号された信号の第１の周波数のスペクトルのレベルと、第２の周波数のスペクトルのレベルのうち、どちらか一方だけが最小可聴特性より小さいか否かを判定する第１の判定手段と、
前記第１の周波数のスペクトルと、前記第２の周波数のスペクトルとを相互に入れ替えたとき、入れ替えられたそれぞれのスペクトルのレベルのうち、どちらか一方だけが最小可聴特性より小さいか否かを判定する第２の判定手段と、
前記第１の判定手段と前記第２の判定手段による判定結果に基づいて、付加されている情報を再生する再生手段と
を備えることを特徴とする情報復号装置。
【請求項７】
前記入力された信号は、
所定単位毎の信号の最小値と、前記所定単位毎の前記信号のダイナミックレンジと、前記信号と前記所定単位毎の最小値との差分結果を前記ダイナミックレンジに基づいて量子化された信号とであって、
前記復号手段は、
前記ダイナミックレンジから量子化ステップ幅を算出し、量子化された前記信号を逆量子化し、逆量子化信号を出力する逆量子化手段と、
前記逆量子化信号に前記最小値を加算する加算手段と
を備えることを特徴とする請求項６に記載の情報復号装置。
【請求項８】
情報復号装置の情報復号方法において、
入力された信号を復号する復号ステップと、
前記復号ステップの処理により復号された信号の第１の周波数のスペクトルのレベルと、第２の周波数のスペクトルのレベルのうち、どちらか一方だけが最小可聴特性より小さいか否かを判定する第１の判定ステップと、
前記第１の周波数のスペクトルと、前記第２の周波数のスペクトルとを相互に入れ替えたとき、入れ替えられたそれぞれのスペクトルのレベルのうち、どちらか一方だけが最小可聴特性より小さいか否かを判定する第２の判定ステップと、  前記第１の判定ステップの処理と前記第２の判定ステップの処理による判定結果に基づいて、付加されている情報を再生する再生ステップと
を含むことを特徴とする情報復号方法。
【請求項９】
情報復号装置のプログラムにおいて、
入力された信号を復号する復号ステップと、
前記復号ステップの処理により復号された信号の第１の周波数のスペクトルのレベルと、第２の周波数のスペクトルのレベルのうち、どちらか一方だけが最小可聴特性より小さいか否かを判定する第１の判定ステップと、
前記第１の周波数のスペクトルと、前記第２の周波数のスペクトルとを相互に入れ替えたとき、入れ替えられたそれぞれのスペクトルのレベルのうち、どちらか一方だけが最小可聴特性より小さいか否かを判定する第２の判定ステップと、  前記第１の判定ステップの処理と前記第２の判定ステップの処理による判定結果に基づいて、付加されている情報を再生する再生ステップと
を含むことを特徴とするコンピュータが読み取り可能なプログラムが記録されている記録媒体。
【請求項１０】
情報復号装置を制御するコンピュータに、
入力された信号を復号する復号ステップと、
前記復号ステップの処理により復号された信号の第１の周波数のスペクトルのレベルと、第２の周波数のスペクトルのレベルのうち、どちらか一方だけが最小可聴特性より小さいか否かを判定する第１の判定ステップと、
前記第１の周波数のスペクトルと、前記第２の周波数のスペクトルとを相互に入れ替えたとき、入れ替えられたそれぞれのスペクトルのレベルのうち、どちらか一方だけが最小可聴特性より小さいか否かを判定する第２の判定ステップと、  前記第１の判定ステップの処理と前記第２の判定ステップの処理による判定結果に基づいて、付加されている情報を再生する再生ステップと
を含む処理を実行させることを特徴とするプログラム。
【手続補正２】
【補正対象書類名】明細書
【補正対象項目名】００４５
【補正方法】変更
【補正の内容】
【００４５】
次に、ステップＳ１７において、符号化部１７は、スペクトル入替部１４より供給されたスペクトル信号を符号化する。


【手続補正３】
【補正対象書類名】明細書
【補正対象項目名】００７３
【補正方法】変更
【補正の内容】
【００７３】
ステップＳ４０において、付加情報再生部５７は、埋め込み検出部５６より供給されたビットを集積し、８ビットを１文字のテキストデータに変換し、表示部５８に出力し、表示させる。これにより、表示部５８に、音声信号に付加された情報が表示される。その情報が、音声データの楽曲に対応する歌詞であれば、ユーザは、楽曲を再生しながらその歌詞を見ることができることになる。